Podtech/llm-jp-corpus-v4-ja_patent huggingface dataset:
(57)【要約】【課題】  軽量で嵩張らず、しかも使用時には簡単に取り出すことができる携帯用枕を提供することを課題とする。【解決手段】  圧縮性および反発性を有する軽量の軟質発泡弾性素材をカバー材で被覆し長手方向に弓形に湾曲した形状を有する枕本体１を、この枕本体１の前記カバー材に設けられたポケット２にその開口部３より圧縮して収納できるようにした携帯用枕である。前記ポケット２は枕本体１の長手方向の一端に設けられ、前記枕本体１の他端に向かって開口している。【選択図】図１
0003152479.tif 000002
【実用新案登録請求の範囲】
【請求項１】
圧縮性および反発性を有する軟質発泡弾性素材をカバー材で被覆した枕本体と、この枕本体の前記カバー材に設けられ、前記枕本体を圧縮した状態で収納可能なポケットとを備えていることを特徴とする携帯用枕。  
【請求項２】
前記ポケットは枕本体の長手方向の一端に設けられ、前記枕本体の他端に向かって開口している請求項１記載の携帯用枕。
【請求項３】
前記枕本体は、長手方向に弓形に湾曲した形状を有する請求項１または２に記載の携帯用枕。
【考案の詳細な説明】
【技術分野】
【０００１】
本考案は、軽量で、嵩張らず、取り出しや収納が簡単な携帯用枕に関する。
【背景技術】
【０００２】
従来、電車、バス、飛行機等における長時間の移動の際には、座席でより快適な休息や睡眠を取るために、頭や首、腰等に当てて使用する空気枕（特許文献１）やウレタンフォームで作られた枕等（特許文献２）、様々な携帯用の枕が使用されてきた。
【０００３】
しかしながら、空気枕は収納性、携帯性には優れているものの、使用時に内部に空気を吹き込んで膨らませる必要があり、また、使用後には収納するために空気を抜かなければならず、取り扱いが面倒である。さらに、空気枕本体の表面に傷や穴が開いてしまうと、使用することができなくなるといった問題もあった。
【０００４】
また、ウレタンフォーム等の発泡素材で作られた携帯用枕は、前記した空気枕のような問題がなく、さらに軽量であるという利点があるが、嵩張るため、旅行鞄等に入れるにはスペースを多く取ってしまうという問題があった。
【０００５】
【特許文献１】特開２００１−３０９８４０号公報
【特許文献２】特開２００５−０２１２３０号公報
【考案の概要】
【考案が解決しようとする課題】
【０００６】
本考案は、軽量で嵩張らず、しかも使用時には簡単に取り出すことができる携帯用枕を提供することを目的とする。
【課題を解決するための手段】
【０００７】
本考案者は、上記課題を解決すべく鋭意研究を重ねた結果、圧縮性および反発性を有する軟質発泡弾性素材をカバー材で被覆した枕本体を丸める等して小さく圧縮した状態で、前記カバー材に設けたポケットに収納することにより、軽く、嵩張らず、携帯に便利であると共に、取り出しが簡単であるという事実を見出し、本考案を完成するに至った。
【０００８】
すなわち、本考案の枕は、以下の構成を有する。  
（１）圧縮性および反発性を有する軟質発泡弾性素材をカバー材で被覆した枕本体と、この枕本体の前記カバー材に設けられ前記枕本体を圧縮した状態で収納可能なポケットとを備えていることを特徴とする携帯用枕。  
（２）前記ポケットは枕本体の長手方向の一端に設けられ、前記枕本体の他端に向かって開口している（１）記載の携帯用枕。
（３）前記枕本体は、長手方向に弓形に湾曲した形状を有する（１）または（２）に記載の携帯用枕。
【考案の効果】
【０００９】
本考案の携帯用枕は、枕本体が圧縮性および反発性を有する軟質発泡弾性素材を有しているので、軽量であり、また、この枕本体のカバー材にポケットを設けることにより、収納時には、このポケットに簡単に収納することができ、そのためコンパクトで嵩張らないため、旅行鞄等に入れて携帯するのが便利であり、しかも使用時には枕本体を簡単に取り出すことができるという効果がある。
【図面の簡単な説明】
【００１０】
【図１】本考案に係る携帯用枕の一実施形態を示す斜視図である。
【図２】本考案の図１の携帯用枕を収納する方法を示す斜視図である。
【図３】図１の携帯用枕の収納状態を示す斜視図である。
【考案を実施するための形態】
【００１１】
本考案の携帯用枕は、図１に示すように枕本体１のカバー材の一端にポケット２を設けたものである。
【００１２】
枕本体１は、圧縮性および反発性を有する軟質発泡弾性素材をカバー材で被覆したものである。
軟質発泡弾性素材の素材としては、睡眠に適した弾力性、反発性を持ち、且つ、携帯性の面から軽量で、小さく圧縮でき、広げるとすぐに元の大きさに復元できるものが好ましく、例えばウレタンフォーム等が挙げられる。
【００１３】
また、枕本体１を被覆するカバー材としては、頭や首に当てた時の肌触りが良いものが好ましく、例えば、綿、ポリエステル等の織布や不織布が挙げられる。
【００１４】
枕本体１の形状は、特に限定されるものではないが、電車、バス、飛行機等における座席での使用と、主に頭、首、腰への負担を和らげるという点から、図１に示すように、長手方向に弓形に湾曲した断面が半円形状の柱状体であるのが好ましい。具体的には、長さ２００〜３００mm、最大幅８０〜１８０mm、高さ（厚み）３０〜１００mm程度がより好ましい。また、枕本体１は図１に示すような形状に限定されず、例えば、断面形状が、矩形、円形、楕円形等である柱状体や、枕本体内の軟質発泡弾性素材が円筒形等のもの等も使用可能である。
【００１５】
本考案では、前記枕本体１を被覆するカバー材に、図３に示すように枕本体１を収納できるポケット２が設けられている。このポケット２の位置は特に限定されないが、例えば、図１で示したように、ポケット２が枕本体１の長手方向の一端に設けられ、前記枕本体１の他端に向かって開口部分が形成されているのが好ましい。ポケット２の大きさは、枕本体１の幅や長さに応じて決定され、特に制限されるものではない。
【００１６】
ポケット２の設置方法としては、例えば、前記カバー材に縫い付けたり、接着したり、あるいは、スライドファスナー（ジッパー）、面ファスナー、ボタン等で設置する方法が挙げられる。また、ポケットの素材としては、カバー材と同じ織布や不織布の他、メッシュ等を用いることができ、さらに枕本体１の収納を容易にするために伸縮性のある素材であるのが好ましい。
【００１７】
枕本体１をポケット２に収納する場合には、図２に示すように、前記した枕本体１の長手方向の他端から、ポケット２の開口部３へ向かい、小さく圧縮しつつロール状に巻いていくと、図３に示すように、ポケット２に枕本体１を収納することができる。また、枕本体１をポケット２から取り出す場合は、ポケット２から枕本体１を引っ張り出すだけでよい。これにより、枕本体１は直ちに元の形状に復元するので、枕として頭、首、腰等に当てて使用することができる。
尚、ポケット２への枕本体の収納方法は、上記した収納方法の他に、枕本体１を小さく折りたたんで収納すること等も可能である。
【符号の説明】
【００１８】
１ 枕本体
２ ポケット
３ 開口部
【図１】
0003152479.tif 000003
【図２】
0003152479.tif 000004
【図３】
0003152479.tif 000005
(57)【要約】      （修正有）【課題】集魚効果を増大させる餌偽を提供する。【解決手段】本体胴体の部分に凸又は凹を数箇所設けたことを特徴とする。【選択図】図１
0003152492.tif 000002
【実用新案登録請求の範囲】
【請求項１】
餌偽及びルアー本体部分に凹凸（おうとつ）を付け水中での音をその形態により発生させる事による集魚効果の増大
【請求項２】
餌偽及びルアー本体部分に凹凸（おうとつ）を付け水中でその形態により光を乱反射させる事による集魚効果の増大
【請求項３】
餌偽及びルアー本体部分に穴を貫通させて水中での音をその形態により発生させる事による集魚効果の増大
【考案の詳細な説明】
【技術分野】
【０００１】本考案は、餌偽及びルアー本体の胴に凹凸（おうとつ）設ける物である。
【背景技術】
【０００２】餌偽やルアーは、その形態の大小や色の変化で、獲物を釣る道具として実用されていて人の手によって変化を持たせて獲物にアピールするのみで、実用十分であった。【０００３】しかし、人の手によって変化を持たせ水中での音の効果は、同じ様な音でしかなかった。
【考案の概念】
【考案が解決しようとする課題】
【０００４】解決しようとする問題点は、水中での音で広域にいる獲物にまず音により、興味を持たせて次に今までの色に依る効果で確認させる。往来は、至近距離いる物に対してのみ有効で同じ距離、水深、での集魚効果が低い。
【課題を解決するための手段】
【０００５】本体の胴体の部分に凸（とつ）又は凹（おう）の突起を数か所設ける事によりその部分が抵抗になり、水中で音変化を一層増し、又それにより本体に不用意に動きを与え視覚効果も光の乱反射により無限に増す。
【考案の効果】
【０００６】本考案は、広範囲に居る獲物にまず音による集魚効果
【図面の簡明な説明】
【０００７】
【図１】
「デコ餌偽の凸を示した平面図である。」
【図２】
「をデコ餌偽の凸示した断面図である。」
【考案を実施するための形態】
【０００８】市販品に、一辺が４ミリ四角い凸（突起）複数貼り付けた。
【実施例】
【０００９】本考案と市販されたままの状態での比較で明らかに倍以上に効果（釣果）が現れた。
【図１】
0003152492.tif 000003
【図２】
0003152492.tif 000004
【手続補正書】
【提出日】平成21年5月12日(2009.5.12)
【手続補正１】
【補正対象書類名】実用新案登録請求の範囲
【補正対象項目名】全文
【補正方法】変更
【補正の内容】
【実用新案登録請求の範囲】
【請求項１】
本体胴体の部分に凸を数箇所設けたことを特徴とする餌偽。
【請求項２】
本体胴体の部分に凹を数箇所設けたことを特徴とする餌偽。
【請求項３】
本体胴体の部分に穴を貫通した部分を数箇所設けたことを特徴とする餌偽
(57)【要約】      （修正有） 【課題】骨折患部に対して、患部を固定して、外部から力が加わらないように患部を保護処置することができる応急用エアーギブスを提供する。【解決手段】外面と内面からなる二重袋についた逆止弁マグネットシートに設けてある開口孔に注入器を挿し空気を注入空気を注入することにより、外面２と内面３の間に空気室７に空気が注入され、注入器６を抜いても、逆止弁効果で患部が容易に固定できる。注入器を挿すだけで容易に内圧調整ができるため、骨折後の腫れにも対応可能である。  【選択図】図２
0003152499.tif 000002
【実用新案登録請求の範囲】
【請求項１】
外面と内面からなる二重袋体と、その外面に逆止弁であるマグネッシートバルブを取り付け、当該マグネットシートバルブに開口孔を設けたことを特徴とする応急エアーギブス。
【請求項２】
外面の袋体と内面の袋体が共に独立した袋体であることを特徴とする請求項１記載の応急エアーギブス。
【考案の詳細な説明】
【技術分野】
【０００１】
骨折患部に対して、患部を固定して、外部から力が加わらないように患部を保護処置する装置に関する。
【背景技術】
【０００２】
本考案は、骨折、捻挫等で負傷した場合、仮処置を施して医療施設等へ搬送して医師により治療を受けていたが、時間的経過を増すため、患部に良くなかった。これを解決するため、筒状の二重袋体になった空気圧固定保護具で患部を固定して部位の動き
を制限して、現場で応急処置を行うことができる装具についてのものである。
【先行技術文献】
【特許文献】
【０００３】
【特許文献１】特開２００８−２５９７９５
【特許文献２】登録実用３１４３４７５
【特許文献３】特開２００７−１９８５６７
【考案の概要】
【考案が解決しようとする課題】
【０００４】
例えば医療処置が緊急に受けられない登山や船舶洋上において骨折負傷者の手当てをする場合、患部を速やかに固定しなければならないが従来は副木にあたる、木、雑誌を患部にあてがい輪になった紐等で固定していた。
【０００５】
本考案は、この様な不便な処置を解消するため、本人又は、団体が活動中に負傷した場合における救急用備品として軽量で構造が簡単で携帯できる用具を提供し、容易にできる応急処置を施せるようにしようとしたものである。
【０００６】
特開2008-259795ではギブス兼用エアクッションが紹介されているが、構造が複雑であり、取り扱いが煩雑であるという問題があった。
【課題を解決するための手段】
【０００７】
上記の課題を解決するために、本考案のエアーギブスを請求項１と２に示すように手段を説明する。請求項１について本体１は合成樹脂でできた外面２と内面３からなる二重袋に外面２に逆止弁マグネットシートバルブ４がついたものである。逆止弁マグネットシートバルブ４には開口孔５を設けてあり、外面２と内面３の間に空気室７ができ、外面２に連通した逆止弁マグネットシートバルブ４が設けてあることを特徴とするものである。本考案で使用するマグネットシートバルブは特開２００７−１９８５６７で紹介されている。
【０００８】
請求項２について本体１は外面２と内面３からなる二重袋に外面２に逆止弁マグネットシートバルブ４がついたものである。逆止弁マグネットシートバルブ４には開口孔５を設けてあり、開口孔５に注入器６を挿し空気を注入することにより、外面２と内面３の間に空気室７に空気が注入され、注入器６を抜いても、逆止弁の効果により空気の流入・排気がない。
【０００９】
以上の本発明の実施例に示すエアーギブスは、注入器を挿すだけで容易に内圧調整ができるため、骨折後の腫れにも対応可能である。また二重袋でそれぞれが独立した袋体であるので、製作時に接着剤が不要である。
【００１０】
本発明の請求項１または２は患部８を本体１に通し、注入器６をマグネットシートバルブ５に挿し空気を注入することで、内面３が内側に狭められ、患部８を固定することによりギブスとなる。取り外し、内圧調整は逆止弁マグネットシートバルブ４に注入器を挿すことにより空気が抜けて取り外し、内圧調整ができる仕組みになっている。
【考案の効果】
【００１１】
本考案は軽量でコンパクトであり、本人又は団体が活動中に負傷した場合における救急用備品として常備でき、今まで医療処置が緊急に受けられない登山や船舶洋上においても骨折負傷者の応急措置が迅速にできる。
【００１２】
本考案は着脱や固定方法が容易なため、幼児から老人まで簡単に使用でき、また繰り返し使用できるため非常に経済的である。
【００１３】
本装置はギブスとしての使用以外にも圧迫による止血手段にも利用できる。
【図面の簡単な説明】
【００１４】
【図１】エアーギブスの外観図である。
【図２】エアーギブスの横から見た図である。
【図３】注入器である。
【図４】本考案で使用する逆止弁の断面図である。
【図５】本考案で使用する逆止弁の使用断面図である。
【図６】腕の患部の図である。
【図７】足の患部の図である。
【図８】使用例である。
【考案を実施するための形態】
【００１５】
患部８を二重袋に通し、逆止弁マグネットシートバルブ４に注入器６を挿し空気を注入し、注入器を抜くと逆止弁の効果で空気の流入・排気がなく患部８を容易に固定できる。
【実施例】
【００１６】
患部９を二重袋に通し、逆止弁マグネットシートバルブ４に注入器６を挿し空気を注入し、注入器を抜くと逆止弁の効果で空気の流入・排気がなく患部８を容易に固定できる。
【符号の説明】
【００１７】
１、本体
２、外面
３、内面
４、マグネットシート
５、開口孔
６、注入器
７、空気室
８、患部
９、患部
１０、第２板部材
１１、第１板部材
１２、第３板部材
１３、第４板部材
１４、孔ガイド
【図１】
0003152499.tif 000003
【図２】
0003152499.tif 000004
【図３】
0003152499.tif 000005
【図４】
0003152499.tif 000006
【図５】
0003152499.tif 000007
【図６】
0003152499.tif 000008
【図７】
0003152499.tif 000009
【図８】
0003152499.tif 000010
(57)【要約】      （修正有）【課題】鼻腔内に挿入後も容易に抜去することができ，かつ鼻腔内への迷入を防止することのできる経鼻エアウェイを提供する。【解決手段】経鼻エアウェイ末端部２を、容易に把持でき、鼻腔内に迷入することを防止できる形状と大きさに作成する。従来の製品を使用時の欠点である鼻腔内への挿入後の抜去しにくさ、鼻腔内への迷入を防止できる。従って、医療現場において、舌根沈下をきたした患者に対する気道確保を行う際にきわめて有用である。【選択図】図１
0003152496.tif 000002
【実用新案登録請求の範囲】
【請求項１】
容易に把持することができ，かつ鼻腔内への迷入を防止することのできる形状と大きさをもった末端部を具備させた経鼻エアウェイ
【考案の詳細な説明】
【技術分野】
【０００１】  本考案は，鼻腔内に挿入後も容易に抜去することができ，かつ鼻腔内への迷入を防止することのできる経鼻エアウェイに関する．
【背景技術】
【０００２】  経鼻エアウェイは気道確保のために利用されるが，従来の製品の形状は図２に示すように経鼻エアウェイ末端部３は小さなラッパ状をしている．
【考案の概要】
【考案が解決しようとする課題】
【０００３】  従来の経鼻エアウェイはラッパ状の末端部が小さく把持しにくいために，鼻腔に挿入したあと容易に抜去できないことがある．【０００４】  さらに，ラッパ状の末端部が鼻腔よりも小さい場合には鼻腔内に迷入する危険性がある．【０００５】  そこで，容易に把持することができ，かつ鼻腔内への迷入を防止できるような形状と大きさに作成した末端部を具備した経鼻エアウェイを提供することにより前述の欠点を解決しようとするものである．
【課題を解決するための手段】
【０００６】  上記課題を解決することを目的としてなされた本考案は，経鼻エアウェイの末端部を容易に把持することができ，かつ鼻腔内への迷入を防止することのできる形状と大きさに作成したことを特徴とする．
【考案の効果】
【０００７】  本考案の経鼻エアウェイにおいては，鼻腔内に挿入されたあとも容易に抜去することができ，かつ鼻腔内に迷入することを防止することができる．
【図面の簡単な説明】
【０００８】
【図１】本考案経鼻エアウェイを示した斜視図である．
【図２】従来の経鼻エアウェイを示した斜視図である．
【産業上の利用可能性】
【０００９】  本考案は以上の通りであり，従来の製品を使用時の欠点である鼻腔内への挿入後の抜去しにくさ，鼻腔内への迷入を防止できる．従って，本考案は医療現場において，舌根沈下をきたした患者に対する気道確保を行う際にきわめて有用である．
【符号の説明】
【００１０】  １  経鼻エアウェイ本体
２  本考案の経鼻エアウェイにおける末端部
３  従来の経鼻エアウェイにおける末端部
【図１】
0003152496.tif 000003
【図２】
0003152496.tif 000004
【手続補正書】
【提出日】平成21年5月11日(2009.5.11)
【手続補正１】
【補正対象書類名】実用新案登録請求の範囲
【補正対象項目名】全文
【補正方法】変更
【補正の内容】
【実用新案登録請求の範囲】
【請求項１】
末端部において，内腔の外縁から２０ｍｍ以上の長さを持つ楕円形，または多角形，または楕円形と多角形を組み合わせた形の把持部分を具備した経鼻エアウェイ
(57)【要約】      （修正有）【課題】本体及び蓋の形状を楕円形にすることにより、傾斜面での転がり防止・同姓との形状相違による区別化が可能な朱肉等浸透式印鑑を提供する。【解決手段】形状を楕円形にすることにより転落防止が可能となり、且つ、印章の上下位置確認が容易になり印影が傾くことを防止できる。さらに、従来の円形に加え、印章の種類に幅が出来き、同姓の印章との区別化が図られることも可能となる。【選択図】図１
0003152494.tif 000002
【実用新案登録請求の範囲】
【請求項１】
朱肉等浸透式印鑑を、楕円形にして成る印章。
【請求項２】
朱肉等浸透式の認印に楕円形にして成る請求項１記載の印章。
【請求項３】
ボールペン等筆記具に付いた朱肉等浸透式印鑑で、外形は楕円ではないが、印影が楕円形となることを特徴とする請求項１記載の印章。
【考案の詳細な説明】
【技術分野】
【０００１】  本考案は、楕円形をした朱肉等浸透式印鑑であって、主として認印に関するものである。
【背景技術】
【０００２】  従来の浸透式印鑑は、円形をしており、傾斜のある机等に乗せると、蓋もしくは本体、あるいは、その双方が転がって落ちていた。また、形状が円形のみのため、認印の印面は、個性がなく、又、同姓の場合には、他人のものと間違われることも多かった。
【考案の開示】
【考案が解決しようとする課題】
【０００３】  本考案に課せられた課題は、朱肉等浸透式印鑑の回転・転落防止、形状相違による区別化を図った印章を提供することにある。
【課題を解決するための手段】
【０００４】  本考案では、従来の、円形をした朱肉等浸透式印鑑では、傾斜のある机等から回転し落下しやすく、また、落下したことに気がつかず、それらが事務機器等の隙間に入り込み取れなくなることもあった。また、形状が同じため、同姓の場合には印影に区別がつかなかった。そのため、新たに購入・氏名入りの特別品を購入するという経済的負担、また、非浸透式印鑑を使用するという時間的・労力的負担が発生する。従って、朱肉等浸透式印鑑の本体及び蓋の形状を楕円形にすることにより、傾斜面での転がり防止・形状相違による同姓との区別化が可能になり、前述の欠点を解決しようとするものである。
【考案の効果】
【０００５】  上述のように、形状を楕円形にすることにより転落防止が可能となり、且つ、印章の上下位置確認が容易になり印影が傾くことを防止できる。さらに、従来の円形に加え、印章の種類に幅が出来き、同姓の印章との区別化が図られることも可能となる。
【考案を実施するための最良の形態】
【０００６】  形状を楕円形にすることにより可能となる。
【産業上の利用可能性】
【０００８】  朱肉等浸透式印鑑は、仕事上や家庭など広い範囲で使用されており、利用されるシェアは広い。また、本考案を製品化するには、形状を楕円形にするだけなので、型版等の変更等のみであり、製品化が容易である。
【実施例】
【０００９】  図１は本考案に係る印面を示し、図２・３は印章（認印）を示す。符号の１は本体、２は蓋である。
なお、本考案において、文字の大きさ、書体等は問わない。
【図面の簡単な説明】
【図１】印面部の図である。
【図２】正面図である。
【図３】斜面図である。
【符号の説明】１  本体
２  蓋
【図１】
0003152494.tif 000003
【図２】
0003152494.tif 000004
【図３】
0003152494.tif 000005
【手続補正書】
【提出日】平成21年5月9日(2009.5.9)
【手続補正１】
【補正対象書類名】実用新案登録請求の範囲
【補正対象項目名】全文
【補正方法】変更
【補正の内容】
【実用新案登録請求の範囲】
【請求項１】
朱肉等浸透式印鑑の印章の印影の外枠を、楕円形にしたことを特徴とする印章。
【請求項２】
朱肉等浸透式の認印の印章の印影の外枠を楕円形にしたことを特徴とする請求項１記載の印章。
【請求項３】
ボールペン等筆記具に付いた朱肉等浸透式印鑑で、印章の印影の外枠が楕円形となることを特徴とする請求項１記載の印章。
【手続補正２】
【補正対象書類名】明細書
【補正対象項目名】図面の簡単な説明
【補正方法】変更
【補正の内容】
【図面の簡単な説明】
【図１】印面部の印影の図であり、印影の外枠が楕円である。
【図２】正面図である。
【図３】斜面図である。
【符号の説明】
▲１▼  本体
▲２▼  蓋
▲３▼  印影の外枠
【手続補正３】
【補正対象書類名】図面
【補正対象項目名】全図
【補正方法】変更
【補正の内容】
【図１】
0003152494.tif 000006
【図２】
0003152494.tif 000007
【図３】
0003152494.tif 000008
(57)【要約】      （修正有）【課題】携行が容易で室内にも気軽に持ち込め、セットや操作が簡単な三脚を提供する。【解決手段】雲台１０の底部に複数の孔２を開け、身近にある鉛筆やボールペン、或いは箸や自作の足等を雲台に直接挿入し三脚を作る。なお、既成の雲台には雲台アダプター（レンコン状盤）を付着すると同様な成果が得られる。【選択図】図１
0003152491.tif 000002
【実用新案登録請求の範囲】
【請求項１】
雲台底部又は側面に鉛筆やボールペン、箸、専用の足等を挿入し密着できる孔を複数設けた雲台
【考案の詳細な説明】
【技術分野】
【０００１】  本考案は、映像用三脚の雲台に関するものである。
【背景技術】
【０００２】  従来の雲台は、底部に三脚と接続するためのネジ穴（雌ネジ）が一箇所埋設され、雲台と三脚が密着するように垂直に設けられている。
【考案の開示】
【考案が解決しようとする課題】
【０００３】  三脚はカメラより容積や重量が有り持ち運びに労力を要する。また、狭い会議室や人が混む式場、宴席等に三脚を持ち込むのは躊躇することがある。
そこで携行が容易で室内にも気軽に持ち込め、セットや操作が簡単な三脚を考案しようとするものである。
【課題を解決するための手段】
【０００４】  本案は、雲台の底部に複数の孔を（図１）開け、身近にある鉛筆やボールペン、或いは箸や自作の足等を雲台に直接挿入し三脚を作ろうとするものである。なお、既成の雲台には雲台アダプター（レンコン状盤）を付着すると同様な成果が得られる。
【考案の効果】
【０００５】  脚部は現地調達も容易であり、持参も苦にならない形状である。携行の雲台に脚を挿入するのみで卓上三脚ができ、セット及び操作も手軽である。室内の撮影で邪魔になる座卓やテーブル  上に置くことで、より撮影空間を広く取ることができる利点もある。
また、通常の三脚は外で使用する機会が多く、室内での使用に相応しくない場合が有るが、本考案の雲台三脚は卓上に置いても不快感が無い。脚の着脱がスムーズであるから脚を外しての手持ち撮影にも即応可能である。
なお、本考案の三脚は、接写や小物の商品撮影にも小回りが利き便利である。
【考案を実施するための最良の形態】
【０００６】  本考案に係る雲台を、図１に示すように底部（又は側面）周辺から中心部に向け孔を空ける。挿入する三本の脚で雲台が安定する角度に孔を空けるのみである。
既に保有する雲台には、図２に示すような雲台アダプター（レンコン状盤）を取り付けると同様成果を得られる。作製の際には可能な限り挿入孔を設けると軽量に仕上がる。
なお、雲台アダプター（レンコン状盤）に脚を付けると、三脚としての最小限の機能が持たせる事が出来る。
【図面の簡単な説明】
【０００７】
【図１】  本考案の雲台の斜視図である
【図２】  本考案の雲台アダプター（レンコン状盤）に脚挿入時の斜視図である
【符号の説明】
【０００８】  １      三脚取り付け雌ネジ
２      脚挿入孔
３      雲台取り付け雄ネジ
４      レンコン状盤（雲台アダプター）
５      脚
１０      雲台
【図１】
0003152491.tif 000003
【図２】
0003152491.tif 000004
(57)【要約】      （修正有）【課題】ＶＯＣ（揮発性有機化合物）などの有害物質を吸着することができる衝立型ＶＯＣ吸着器を提供する。【解決手段】内部に空間部を形成した衝立枠１と、衝立枠１の上方側に設けた漏斗状注入口３と、衝立枠１の下方側に設けた漏斗状余剰液受け口７と、衝立枠１の空間部で、漏斗状注入口３に一端が保持され、他の端が衝立枠１に保持され、凧形状を保ち、漏斗状注入口３から注入されたクリの樹皮から抽出したポリフェノール溶液１０が全体に浸潤した綿布と、から構成されたことを特徴とする。【選択図】図１
0003152443.tif 000002
【実用新案登録請求の範囲】
【請求項１】
室内空間の有害化学物質を吸着するようにした、クリポリフェノール利用の衝立型VOC(揮発性有機化合物)吸着器において、
内部に空間部を形成した衝立枠と、
この衝立枠の上方側に設けた漏斗状注入口を備えた液体注入手段と、
この衝立枠の下方側に設けた漏斗状余剰液受け口を備えた余剰液受け手段と、
VOC(揮発性有機化合物)の吸着にクリポリフェノール液を用いる手段と、
衝立枠の空間部で、漏斗状注入口に綿布の一端が保持され、他の端が衝立枠保持され、凧形状を保ち、漏斗状注入口から注入されたクリポリフェノール溶液が綿布全体に浸潤し、クリタンニン成分が有害化学物質などを吸着するように拡張された綿布と、
から構成されたことを特徴とする衝立型の吸着器。
【考案の詳細な説明】
【技術分野】
【０００１】
本考案は、住環境上有害な揮発性有機化合物(以下、VOC)を、クリポリフェノールを利用して、衝立枠内に拡張された綿布によって吸着する装置に関するものである。
【背景技術】
【０００２】
従来VOC除去を化学吸着で行う装置は、カテキンや金属イオンを利用し、エアコンや空気清浄機内部に吸着フィルターを設置したものが主で、本装置のようなクリポリフェノールを利用し、綿布を衝立枠内に凧型で拡張した状態により直接吸着する装置は無い。
【図面の簡単な説明】
【０００３】
【図１】本考案のクリポリフェノール利用の衝立型VOC(揮発性有機化合物)吸着器の一実施例を示す工程表示図である。
【先行技術文献】
【特許文献】
【０００４】
【特許文献１】特願２００４−１５４２０７
【考案の開示】
【考案が解決しようとする課題】
【０００５】
近年の住環境は、住宅の高気密化や化学物質を放散する建材・内装材の使用等により、新築・改築後の住宅やビルにおいて、化学物質による室内空気汚染等により、居住者の様々な体調不良が生じている状態が数多く報告されている。
【０００６】
主成分がタンニンである柿渋は、吸着による室内空気質の改善作用において、非常に高いホルムアルデヒド吸着効果を見出していることは公知の事実であるが、その独特の臭気のため室内の使用に向かない。
【０００７】
住環境向上資材として、タンニンと粉末木炭を原料に、ホルムアルデヒド吸着能を示す優れた資材が開発されているが、接触すると炭により衣服等を汚す恐れがあるため、表面には使用されない。
【０００８】
空気清浄機用のフィルターは、室内空気の粗じんをろ過すると目詰まりを起こすので、交換しなければならないが、フィルターが機器内部に組み込まれているので手間がかかる。
【０００９】
樹皮は、材部に比べてタンニンのような多種多様な二次代謝成分を含有しているが、その有効利用法が開発されていない。
【課題を解決するための手段】
【００１０】
クリの樹皮に多量に含まれる、ポリフェノール化合物のひとつであるタンニンには、優れたVOC吸着能があり無臭な事、及び綿布のような天然繊維には、優れた保水力を有する事は公知の事実である。
【００１１】
前記の特性を活用し、衝立枠内に凧形状で拡張された綿布の上端から、クリポリフェノール液を注入できるようにするため、綿布上端をポリフェノール注入口の漏斗に捩じ入れ、凧形状を保つ事と綿布の保水力により、注入されたポリフェノール液は、途中で枠内に液垂れすること無く拡張された綿布全面に広がり、タンニン成分が直接VOCを吸着し、余剰液は全て綿布の最下部より余剰液受け口漏斗を経て受器で回収される。
【考案の効果】
【００１２】
考案された装置により、室内のVOCなどの有害な化学物質を、柿渋のように臭気を伴わず、衝立枠の存在により衣服に接触する事なく、フィルター代わりの綿布の存在で、今まであまり活用されなかったクリの樹皮ポリフェノールによって、直接吸着することができる。
【考案を実施するための形態】
【００１３】
図１は本考案の、クリポリフェノール利用の衝立型VOC吸着器の、図示されるように、本考案の工程表示図である。以下のステップを含む。
(1)綿布の拡張工程
VOC吸着フィルターとして作用する綿布９の綿布上端角を、ポリフェノール注入口３漏斗下部より捩じ入れ、左右端はフック４にゴム紐５により吊るし、最下部端にはバラスト６を付けて引っ張り、綿布９を凧形状に拡張する。
(2)ポリフェノールの注入工程
VOC吸着材として作用するクリの樹皮から抽出したポリフェノール液10を、ポリフェノール注入口３より適量を注入する。
(3)ポリフェノールの浸潤工程
凧形状に拡張された綿布９の最上端から注入されたクリポリフェノール液は、重力と綿布の保水力により途中で液垂れする事なく全面に浸潤し、余剰液は綿布最下部より余剰液７を経て、受器８で回収される。
(4)VOCの吸着工程
VOC吸着フィルターとして作用する拡張した綿布９全面に、吸着剤として作用するクリタンニン成分が広がり、VOCを吸着する。
【実施例】
【００１４】
室温19℃の状態で、容積0.67ｍ２ほどのキリ製チェスト内部に、一辺50cmの綿布９を凧形状で拡張した本考案装置を置き、ホルムアルデヒドと共に代表的VOCの防虫・防カビ用パラジクロールベンゼン製剤160gを、チェスト上段に吊るして１時間ほど臭気を放散させ、内部を刺激臭で充満させた状態で、含有率20.6%、容量80ccのクリポリフェノール液10を一気にポリフェノール液注入口３より注ぎ入れ、同時にパラジクロールベンゼン製剤を撤収した。その結果10分後には刺激臭が完全に消え、クリポリフェノール液のタンニン成分がVOCを吸着したことを確認し、受器８に余剰液を10cc程回収した。
【符号の説明】
【００１５】
１.衝立枠
２.衝立台
３.ポリフェノール注入口
４.フック
５.ゴム紐
６.バラスト
７.余剰液受け口
８.受器
９.綿布
10. クリポリフェノール溶液
【図１】
0003152443.tif 000003
(57)【要約】      （修正有）【課題】吸収した水分の逆戻りを抑制した、マットのパイルに用いるのに好適な撚糸を提供する。【解決手段】０．０１〜１デニールの極細単糸１１の繊維束で構成された第一の長繊維１０と、２〜５００デニールの単糸２１の繊維束で構成された第二の長繊維２０と、を撚り合わせて撚糸１を構成したのである。極細単糸１１の毛細管現象により、良好な吸水性を発揮する。また、太手の単糸２１があるために腰が強く、マットのパイルに用いた際に、踏みつけられても倒れにくくなっている。【選択図】図１
0003152447.tif 000002
【実用新案登録請求の範囲】
【請求項１】
０．０１〜１デニールの単糸１１の繊維束で構成された第一の長繊維１０と、２〜５００デニールの単糸２１の繊維束で構成された第二の長繊維２０と、を撚り合わせてなる撚糸。
【請求項２】
請求項１に記載の撚糸１からなるパイルを基布に植設してなる敷物類。
【考案の詳細な説明】
【技術分野】
【０００１】
この考案は、マットのパイルに用いるのに好適な撚糸、およびパイルがその撚糸からなるマットに関する。
【背景技術】
【０００２】
マットの基布に植設されたパイル用の撚糸として、綿等の紡績された短繊維同士を撚り合せた紡績糸が用いられることがある。このような紡績糸は、吸水保水性に優れるものの、洗濯等すると毛羽が立ちやすい欠点がある。
【０００３】
そこで、マットのパイルに、極細（０．０１〜１デニール程度）の単糸を多数束ねて構成した長繊維の撚糸を用いる試みもなされている。
このようなパイルは、多数の極細単糸からなるため、毛細管現象により吸水性を有する。それと同時に、長繊維からなるため、短繊維と異なり洗濯等しても毛羽が出ない。
【０００４】
しかしこの場合、極細の長繊維のみからなることから、パイルに腰が出ず、マット上を人が歩くとパイルがすぐに倒れてしまう。ここで長繊維の場合は、毛細管現象のみにより吸水しており、短繊維のように繊維内部に保水することができない。
そのため、パイルが踏みつけられて倒れると、水分が逆戻りしてパイルから染み出してしまい、靴を汚してしまう問題がある。
【考案の概要】
【考案が解決しようとする課題】
【０００５】
そこで、この考案の解決すべき課題は、吸収した水分の逆戻りを抑制した、マットのパイルに用いるのに好適な撚糸を提供することである。
【課題を解決するための手段】
【０００６】
上記した課題を解決するため、考案にかかる撚糸を、０．０１〜１デニールの単糸の繊維束で構成された第一の長繊維と、２〜５００デニールの単糸の繊維束で構成された第二の長繊維と、を撚り合わせて構成したのである。
そして、この撚糸からなるパイルを基布に植設して敷物類を構成したのである。ここでいう敷物類には、カーペット、タイルカーペット、センターラグ、ダストコントロールマット、バスマットが含まれる。
【０００７】
極細単糸と太手の単糸とを混合して撚糸を形成したので、極細単糸のみからなる撚糸よりも腰が出る。
したがって、この撚糸からなるパイルを用いたマット等の敷物類の上を人が歩いてもパイルが倒れにくく、パイルが吸水した水分の逆戻りが抑制される。
【考案の効果】
【０００８】
考案にかかる撚糸を以上のように構成したので、吸収した水分の逆戻りが抑制される。
【図面の簡単な説明】
【０００９】
【図１】撚糸の平面図
【考案を実施するための形態】
【００１０】
以下、図面を参照しつつ、この考案の実施形態について説明する。
図１に示す実施形態の撚糸１は、マットの基布に植設されるパイルに好適に用いられる。
この撚糸１は、第一の長繊維１０と、第二の長繊維２０と、を撚り合わせ、熱セットして構成されている。
【００１１】
詳しくは、第一の長繊維１０は、繊度が０．０１〜１デニール、より好ましくは０．４〜１デニールの極細単糸１１の繊維束から構成される。
この第一の長繊維１０の材質はとくに限定されないが、ナイロン、ポリエステル、ポリプロピレンが例示される。
また、第一の長繊維１０の本数はとくに限定されないが、１〜２０本が例示される。同様に、第一の長繊維１０を構成する極細単糸１１の本数もとくに限定されないが、１〜５００本が例示される。
【００１２】
一方、第二の長繊維２０は、繊度が２〜５００デニール、より好ましくは２５〜３００デニールの太手の単糸２１の繊維束から構成される。
この第二の長繊維２０の材質はとくに限定されないが、ナイロン、ポリエステル、ポリプロピレンが例示される。
また、第二の長繊維２０の本数はとくに限定されないが、１〜５本が例示される。同様に、第二の長繊維２０を構成する単糸２１の本数もとくに限定されないが、１〜１００本が例示される。
【００１３】
より具体的には、０．５２デニールの極細単糸１１を２８８本集めた繊維束からなる第一の長繊維１０と、３０デニールの単糸２１を５０本集めた繊維束からなる第二の長繊維２０とを、１５０回／ｍで撚り合せ、次いで１３５度で熱セットして撚糸を構成することが例示できる。
また、この撚糸を基布にタフティングし、抜糸防止のためにプレコートを施し、基布裏側のバッキング材にＮＢＲ（ニトリルブタジエンゴム）を用いてダストコントロールマットを構成することが例示できる。
【００１４】
以上の構成の撚糸１をマットのパイルに用いると、まず極細単糸１１の繊維束からなる第一の長繊維１０が毛細管現象ですばやく水分を吸収する。
そして、この撚糸１は、太手の単糸２１の繊維束からなる第二の長繊維２０があるために腰が強く、マットが踏みつけられてもパイルが倒れにくくなっている。そのため、一旦吸収した水分の逆戻りが抑制され、靴が水分で汚れないようになっている。
【００１５】
このように第一の長繊維１０と第二の長繊維２０が連動することで、それぞれを個別に用いていた場合では得られない吸水性能および水分の逆戻り性能が得られる。
すなわち、第一の長繊維１０のみからなる撚糸をマットに用いると、吸水性はあるが腰がないため水分が逆戻りし、第二の長繊維２０のみからなる撚糸をマットに用いると、腰はあるが単糸が太いため毛細管現象が生じず吸水性が悪い。
【００１６】
実施形態の撚糸１は、マットの他にも、敷物類の全般、すなわちカーペット、タイルカーペット、センターラグ、ダストコントロールマット、バスマット等にも用いることができるし、モップのような敷物類以外に用いることができる。
【００１７】
第一の長繊維１０と第二の長繊維２０の撚り合せの順番、構造はとくに限定されない。たとえば、複数の第一の長繊維１０同士を撚り合せ、複数の第二の長繊維２０同士を撚り合せた後に、その撚り合せた第一の長繊維１０と撚り合せた第二の長繊維２０とをさらに撚り合わせて撚糸１としてもよい。また、単数の第一の長繊維１０と単数の第二の長繊維２０とを撚り合せ、こうしてできた撚糸複数本をさらに撚り合せて撚糸１としてもよい。また各工程における撚り合せの方向を同じ方向としてもよいし、逆方向としてもよい。
さらに、第一の長繊維１０と第二の長繊維２０とは、熱融着糸を中心に撚り合わせ熱融着させてもよい。
【符号の説明】
【００１８】
１  撚糸
１０  第一の長繊維
１１  極細単糸
２０  第二の長繊維
２１  単糸
【図１】
0003152447.tif 000003
(57)【要約】      （修正有）【課題】災害での家具、電化製品の滑りや揺れを防止するために和洋室、台所など場所や種類を問わず簡単に床、柱、壁面とに接着でき取り外し自由な家具すべり防止用具を提供する。【解決手段】小形で柔軟で軽く弾力ある発泡樹脂本体１を長方形、台形などにして本体１の面に両面用接着テープ２を貼り付ける。本体１を家具、電化類と床、柱、壁面とに接着固定させる。和室では家具の上後部と柱や前、横下部に接着させて上から上敷鋲で畳に押し刺す。本体１はより強く固定され家具の縦横の滑りや揺れは防止され、転倒防止の役目もする。用具は柔軟で接着タイプなので安全で取り外しが簡単で傷、汚れが残らない。【選択図】図１
0003152487.tif 000002
【実用新案登録請求の範囲】
【請求項１】
柔軟で軽く弾力．緩衝性のある発泡樹脂から成る本体を長方形．台形．正方形などの小形にして．この面に両面用接着テープを貼り付けた家具すべり防止用具。
【考案の詳細な説明】
【技術分野】
【０００１】本考案は災害などで滑り揺れやすい家具類を固定するために柔軟．軽量．小形である本体に両面用接着テープを貼り付けた用具を家具．電化類と床．柱．壁面との四方に接着固定させて滑りや揺れを防止するための家具すべり防止用具に関するものである。
【背景技術】
【０００２】従来より震災用の家具転倒防止用具は多数あるが和洋室．台所の家具．電化類に応用できて床．柱．壁面との四方に簡単に接着固定できる家具すべり防止用具はなかった。
【考案の開示】
【考案が解決しようとする課題】
【０００３】家具類の転倒防止用具には壁とのネジ固定．後部接着やタンス類の上中央部．前下部に挟む用具はあるが縦横の滑りには疑問で．場所を問わず家具類と床．柱．壁面に接着固定させ自由に取り外せる用具はなかった。本考案はこの課題を解消するためになされた。
【課題を解決するための手段】
【０００４】小形．柔軟で長方形．台形などの発泡樹脂本体１の面に両面用接着テープ２を貼り付け．本体１を和室の家具類４では前．横の下部に接着させ．上から上敷鋲３で畳５に押し刺す。後上部にも本体両面端で家具と柱に接着する。家具はより強く固定され滑り揺れが防止される。洋間．台所の家具．電化類は滑らないよう床．柱．壁面に接着固定するだけでよい。
【考案の効果】
【０００５】本考案は小形で柔軟．軽量．弾力性ある発泡樹脂本体に両面用接着テープを貼り付けた複数の形から成る用具であり家具．電化類などの災害で動きやすい物には場所を問わず床．柱．壁面とに接着固定が可能である。和室ではタンス類の前．横下部に接着させ上から上敷鋲で畳に押し刺せば強固になり縦．横の滑りは防止される。上後部の柱とタンスとに接合すれば転倒防止の役目もする。取り外しも自由で壁や家具類を汚さず傷つけない。洋間．台所家具は接着だけでよい。他に揺れ防止やクッション材など万能に応用できる。
【実施例】
【０００６】試作での実施例
（１）発泡樹脂本体は接着テープに対して接着力が強い。
（２）柔軟で軽く弾力があるので痛くなく体にやさしい。
（３）貼る位置を問題とせず．どこにでも簡単に貼れて多目的に応用できる。
（４）取り外しても床．柱．壁．家具類に汚れや傷が残らない。
（５）家具類と床．柱．壁．畳面に用具を貼り付けるだけで滑り防止効果があった。
（６）簡単に製作可能なので低価格で生産でき．すべての家庭で利用できる。
【図面の簡単な説明】
【０００７】
【図１】本考案の長方形の発泡樹脂本体を示した斜視図である。
【図２】本考案の台形の発泡樹脂本体を示した側面図である。
【図３】本考案の使用中の発泡樹脂本体の斜視図である。
【符号の説明】
【０００８】１  発泡樹脂本体
２  両面用接着テープ
３  上敷鋲
４  家具
５  畳
【図１】
0003152487.tif 000003
【図２】
0003152487.tif 000004
【図３】
0003152487.tif 000005
(57)【要約】      （修正有）【課題】自動車、農業機械、建設機械、船舶等、ガソリン軽油天然ガスを使用する機械類の燃費を高めることが出来る燃費向上材を提供する。【解決手段】ラドン、水晶、トルマリン、隕石の粒体が発する少量のラジウム、１秒間に数万回の振動とピエゾ電気、トルマリンはマイナスイオン、隕石の一部が発する有効成分が燃料パイプを通過し燃焼効率を促進するように、上記鉱物の粒体を入れた包材を燃料パイプとデリバリーパイプに捲き付けバンドで固定する。又上記鉱物を粉体にしたものに不燃焼性特殊液体を混合したものを燃料パイプに塗布しても良い。【選択図】図１
0003152485.tif 000002
【実用新案登録請求の範囲】
【請求項１】
ラドン、水晶、トルマリン、隕石の粒体を強靭なる合成ゴム板状包材で覆れた燃費向上材及び脚力、握力、腕力の増強材。
【請求項２】
ラドン、水晶、トルマリン、隕石の粉体と不可燃性接着剤を混合した液体を燃料パイプ（自動車、農業機械、建設機械  船舶）に塗付し燃費向上材
【考案の詳細な説明】
【技術分野】
【０００１】本考案は自動車、船舶、農業機械、建設用機械等の燃費節減に著しい効果を現はす。
尚脚力、腕力の増加にも効果が認められる。
【考案の開示】
【考案が解決しようとする課題】
【０００２】燃費節減特に自動車の燃費節減には従来から多くの製品があるが殆んどが効果の実証はされず疑問のあるものもあり更にコスト面でも安くないという課題がある
更に殆んどの商品が固体であるがそれに伴う装着に手間時間がかるが本考案のＩＩＩ、Ｘ、８８は液体であり簡単に塗布出来る。
又Ｌ、Ｇ、８、は一般のスポーツ社は掲げる歩行を楽にするものは靴の本底に変化をつけ歩行を楽にするものが殆んどあり、Ｌ、Ｇ、８、は内包されている種々の有効物質が脚力自体に強化を与えるものである。
Ｈ、Ｄ、８は握力及び腕力が握力計で計測すると無装着の時よりも１０％程度増強れるものである。
【課題を解決するための手段】
【０００３】上記問題を解決するために本考案に係る燃費向上材、及び脚力、握力向上材はラドン、水晶、トルマリン、隕石の粒体が発する少量のラジウム、１秒間に数万回の振動とピエゾ電気、トルマリンはマイナスイオン、隕石の一部が発する有効成分が燃料パイプを通過し燃焼効率を促進する。
又上記鉱物を粉体にしたものに不燃焼性特殊液体を混合したものを燃料パイプに塗布し驚異的効果を現出する
握力、腕力の増強にはリストバンドにＩＩＩ、Ｘ、８を１個乃至２個を外側に装着する事によりその力が増強される
脚力の場合は足首用サポーターの内側ふまず部分に装着する事によりその増強が認められる
【考案の効果】
【０００４】本考案の燃費向上材は燃料パイプに捲きつけるだけで燃焼効果の成課が上がる。
又脚力の向上、握力、腕力の向上卓越をもたらす尚燃費向上液を燃料パイプに塗布するだけで多大の効果を現はす。
【考案を実施するための最良の形態】
【０００５】本考案の品物を自動車のデリバリーパイプにＩＩＩ、Ｘ、８を２個を捲付け又燃料パイプに２個装着する事により驚異的節減が出来る
握力、脚力増強にはリストバンドにＩＩＩ、Ｘ、８、を１個を内側に装着する事により握力が向上される、脚力の場合足首用サポーターの内側ふまず部分に装着する事によりその増加が出来る
【実施例】
【０００６】自動車燃費向上を促進する方法は〔図１〕に於ける内部にラドン、水晶、トルマリン、隕石の粒体を入れた包材を燃料パイプとデリバリーパイプに捲き付けバンドで固定する事で驚異的燃料節減が実現される〔表１〕〔０００８〕握力、腕力の向上には〔図３〕に於ける２の部分にラドン水晶、トルマリン、隕石を粉末状にしたものに特殊接着剤を混合したものを〔図３〕２の所に塗布し乾燥させたものを手首に巻付けると握力が１０％程度の上昇がみられる。
脚力の向上には足首用サポーターの内側にＩＩＩ、Ｘ、８を入れる事により脚力の向上が実感体験される。
【産業上の利用可能性】
【０００７】自動車、船舶、農業機械、建設機械等ガソリン軽油天然ガス等を使用する内燃機械の燃費改善による燃料消費量の削減に寄与する
又脚力強化による高令者の脚力劣化防止の一助となり人間社会に寄与する。
【図面の簡単な説明】
【０００８】
【図１】燃料向上材を合成ゴムで袋状のものに入れたもの
【図２】燃料パイプに図１の物を捲付けバンドで結束したもの
【図３】化繊のリングの中央部に握力増強液体を塗布したもの
【図４】靴中敷のふまず部分に脚力増強材を装着したもの
【符号の説明】
【０００９】１  合成ゴムの板状のもの
２  燃費向上材の内部
３  合成ゴムを袋状にしたもの
４  結束バンド
５．燃料パイプ
６．燃費向上材
７  リング状の化繊
８．化繊と化繊の間にあるくぼみ
９  靴中敷
１０  燃費向上材
【図１】
0003152485.tif 000003
【図２】
0003152485.tif 000004
【図３】
0003152485.tif 000005
【図４】
0003152485.tif 000006
【手続補正書】
【提出日】平成21年2月4日(2009.2.4)
【手続補正１】
【補正対象書類名】実用新案登録請求の範囲
【補正対象項目名】全文
【補正方法】変更
【補正の内容】
【実用新案登録請求の範囲】
【請求項１】
ラドン，水晶，トルマリン，隕石の粒体を強靱なる合成ゴム製の板状包材で覆ったことを特徴とする燃費向上材。
【請求項２】
ラドン，水晶，トルマリン，隕石の粉体を不可燃性接着剤と
0003152485.tif 000007
を特徴とする燃費向上材。
【手続補正書】
【提出日】平成21年5月11日(2009.5.11)
【手続補正１】
【補正対象書類名】実用新案登録請求の範囲
【補正対象項目名】全文
【補正方法】変更
【補正の内容】
【実用新案登録請求の範囲】
【請求項１】
ラドン，水晶，トルマリン及び隕石の粒体を強靱なる合成ゴム製の板状包材で覆ったことを特徴とする燃費向上材。
【請求項２】
ラドン，水晶，トルマリン，隕石の粉体を不可燃性接着剤と混合した液体を自働車，農業機械，建設機械又は船舶のデリバリーパイプ及びその直前にある燃料パイプに塗布した事を特徴とする燃費向上材。